(57)【要約】      （修正有）【課題】紙粉の加圧部材への付着を抑制して紙粉に起因する不具合を抑制する画像形成装置を提供する。【解決手段】プリンターは、画像形成部と、定着装置１３と、搬送部２６と、紙粉除去部２７とを備える。画像形成部は、電子写真プロセスにより用紙に画像を形成する。定着装置１３は、画像が形成された用紙の表面に接触して加熱する加熱ローラー２０と、加熱ローラー２０に対向配置されて用紙の裏面に接触する加圧ローラー２１とを含む。搬送部２６は、搬送ローラー１６を備え、用紙を画像形成部を経由して定着装置１３へ搬送する。紙粉除去部２７は、搬送部２６において定着装置１３より上流側に配置され、搬送される用紙の裏面に接触して、用紙の裏面の紙粉を除去すると共に、用紙の裏面を摩擦帯電により加圧ローラー２１と同じ極性に摩擦帯電させるブラシ１５を有する。【選択図】図２
2020042233.tif 000002
【特許請求の範囲】
【請求項１】
電子写真プロセスにより用紙に画像を形成する画像形成部と、
前記画像が形成された前記用紙の表面に接触して加熱する加熱部材と、前記加熱部材に対向配置されて前記用紙の裏面に接触する加圧部材と、を含む定着装置と、
搬送部材を備え、前記用紙を画像形成部を経由して前記定着装置へ搬送する搬送部と、
前記搬送部において前記定着装置より上流側に配置され、搬送される前記用紙の裏面に接触して、前記用紙の裏面の紙粉を除去すると共に、前記用紙の裏面を摩擦帯電により前記加圧部材と同じ極性に摩擦帯電させる帯電部材を有する紙粉除去部と、
を備えることを特徴とする画像形成装置。
【請求項２】
前記画像形成部に設けられ、トナー像を形成する像担持体と、
前記像担持体に対向して配置され、前記用紙の裏面に接触する転写部材を含み、前記像担持体上の前記トナー像を前記画像として前記用紙の表面に転写する転写装置と、を更に備え、
前記帯電部材は、前記用紙の搬送方向において前記転写装置より上流側に配置されることを特徴とする請求項１に記載の画像形成装置。
【請求項３】
前記紙粉除去部は、前記帯電部材に対向配置され、前記帯電部材と接触する対向部材として前記搬送部材を有し、前記対向部材は接地されていて、前記帯電部材と前記対向部材の間を通過する前記用紙の表面に接触して前記用紙を搬送すると共に、前記対向部材は前記用紙が通過していないとき、前記帯電部材と接触し、前記帯電部材に付着する紙粉を前記対向部材へ転移することを特徴とする請求項１又は２に記載の画像形成装置。
【請求項４】
前記帯電部材はブラシであり、前記搬送部材は導電性ローラーであることを特徴とする請求項１ないし３の何れか１項に記載の画像形成装置。
【請求項５】
前記画像は、正極性に帯電したトナーで形成され、
前記加圧部材は、ＰＦＡチューブを被覆した弾性ローラーであり、摩擦帯電により負極性に帯電し、
前記ブラシはナイロン製であり、前記用紙との摩擦帯電により負極性に帯電することを特徴とする請求項４に記載の画像形成装置。
【発明の詳細な説明】
【技術分野】
【０００１】
本発明は、トナーコンテナを備えた画像形成装置に関する。
【背景技術】
【０００２】
画像形成装置は、給紙カセットや手差しトレイから用紙を給紙して転写装置や定着装置へ搬送する。用紙の搬送に伴い紙粉が発生して用紙や各部に付着することで、画像不良が生じることがある。
【０００３】
これに対して、特許文献１の画像形成装置の給紙装置は、呼び出しコロと給紙コロとの間にブラシローラーを配置し、転写紙（用紙）に付着した紙粉を、ブラシローラーの摺擦により機械的に除去して回収ホッパ内に回収する。また、バイアス電圧を印加したブラシローラーの摺擦により転写紙を電気的に除電し、無帯電状態の転写紙を次の工程に送る。
【先行技術文献】
【特許文献】
【０００４】
【特許文献１】特開平３−１４７６４８号公報
【発明の概要】
【発明が解決しようとする課題】
【０００５】
画像形成装置の定着装置では、加圧ローラー等の加圧部材は、加熱ローラー等の加熱部材や用紙との摺動による摩擦帯電により、所定の極性（例えば、負極）に帯電して、紙粉が付着し易くなることがある。これに対して、用紙や紙粉の帯電は、用紙の種類や搬送時の環境（例えば、気温や湿度）の影響を受けるため、適切に制御することが困難である。また、電圧を印加したブラシローラーを用いても、用紙の紙粉を全て除去することは困難である。なお、電圧の印加や制御を行う機器には製造コストが掛かる上に設置スペースを確保する必要が生じ、また、消費電力が増加するという問題がある。
【０００６】
そして、裏面に紙粉の付着した用紙が搬送されると、紙粉が転写装置の転写ローラーや定着装置の加圧ローラーに転移して付着してしまう。転写ローラーに付着した紙粉は、次の用紙の裏面に転移して付着し、更に、定着装置の加圧ローラーに転移して付着してしまう。このように加圧ローラーに付着した紙粉は、定着性の低下等による画像欠損（画像不良）や、用紙裏面に転移する裏汚れ等の不具合を発生させてしまう。
【０００７】
そこで、本発明は上記事情を考慮し、簡易な構成によって紙粉の加圧部材への付着を抑制して紙粉に起因する不具合を抑制することを目的とする。
【課題を解決するための手段】
【０００８】
本発明の画像形成装置は、電子写真プロセスにより用紙に画像を形成する画像形成部と、前記画像が形成された用紙の表面に接触して加熱する加熱部材と、前記加熱部材に対向配置されて前記用紙の裏面に接触する加圧部材と、を含む定着装置と、搬送部材を備え、前記用紙を画像形成部を経由して前記定着装置へ搬送する搬送部と、前記搬送部において前記定着装置より上流側に配置され、搬送される前記用紙の裏面に接触して、前記用紙の裏面の紙粉を除去すると共に、前記用紙の裏面を摩擦帯電により前記加圧部材と同じ極性に摩擦帯電させる帯電部材を有する紙粉除去部と、を備えることを特徴とする。
【０００９】
上記の画像形成装置は、前記画像形成部に設けられ、トナー像を形成する像担持体と、前記像担持体に対向して配置され、前記用紙の裏面に接触する転写部材を含み、前記像担持体上の前記トナー像を前記画像として前記用紙の表面に転写する転写装置と、を更に備え、前記帯電部材は、前記用紙の搬送方向において前記転写装置より上流側に配置されるとよい。
【００１０】
上記の画像形成装置において、前記紙粉除去部は、前記帯電部材に対向配置され、前記帯電部材と接触する対向部材として前記搬送部材を有し、前記対向部材は接地されていて、前記帯電部材と前記対向部材の間を通過する前記用紙の表面に接触して前記用紙を搬送すると共に、前記対向部材は前記用紙が通過していないとき、前記帯電部材と接触し、前記帯電部材に付着する紙粉を前記対向部材へ転移するとよい。
【００１１】
上記の画像形成装置において、前記帯電部材はブラシであり、前記搬送部材は導電性ローラーであるとよい。
【００１２】
上記の画像形成装置において、前記トナー像は、正極性に帯電したトナーで形成され、前記加圧部材は、ＰＦＡチューブを被覆した弾性ローラーであり、摩擦帯電により負極性に帯電し、前記ブラシはナイロン製であり、前記用紙との摩擦帯電により負極性に帯電するとよい。
【発明の効果】
【００１３】
本発明によれば、紙粉の加圧部材への付着を抑制して紙粉に起因する不具合を抑制することが可能となる。
【図面の簡単な説明】
【００１４】
【図１】本発明の一実施形態に係るプリンターを示す断面図である。
【図２】本発明の一実施形態に係るプリンターの搬送部、二次転写部及び定着装置を示す断面図である。
【図３】帯電していない用紙にトナー像が形成された状態を示す概要図である。
【図４】本発明の一実施形態に係るプリンターにおいて、裏面を負極性に帯電した用紙の表面に、正極性のトナー像が形成された状態を示す概要図である。
【発明を実施するための形態】
【００１５】
先ず、本発明の実施形態に係るプリンター１（画像形成装置）の全体の構成について図１を参照しながら説明する。以下、説明の便宜上、図１における紙面手前側をプリンター１の前側とする。各図に適宜付される矢印Ｌ、Ｒ、Ｕ、Ｌｏは、それぞれプリンター１の左側、右側、上側、下側を示す。
【００１６】
プリンター１は、略箱型形状のプリンター本体２を備え、プリンター本体２の下部には用紙を収納する給紙カセット３が設けられ、プリンター本体２の上部には排紙トレイ４が設けられる。
【００１７】
プリンター本体２内において、中央には、トナー像を形成される中間転写ベルト５（像担持体）が複数の支持ローラー間に架設されて所定方向に回転可能に設けられる。中間転写ベルト５の下側には、トナー像を形成する４つの画像形成部６が、トナーの色（例えば、イエロー、シアン、マゼンタ、ブラックの４色）毎に左右方向に並んで設けられる。即ち、プリンター１は、カラープリンターである。中間転写ベルト５の上側には、トナーを４つの画像形成部６のそれぞれの現像装置３１に補給する４つのトナーコンテナが、トナーの色（例えば、イエロー、シアン、マゼンタ、ブラックの４色）毎に設けられる。本実施形態のプリンター１では、所定の極性（例えば、正極性）に帯電したトナーを用いてトナー像を形成する。
【００１８】
４つの画像形成部６の下側には、露光装置７が配置される。中間転写ベルト５の右端には、二次転写部８（転写装置）が設けられ、中間転写ベルト５の左端には、中間転写ベルト５を清掃するクリーニングユニット３５が設けられる。
【００１９】
二次転写部８は、中間転写ベルト５の右端側を支持する支持ローラ−と対向する二次転写ローラー９（転写部材）で構成される。二次転写部８において、中間転写ベルト５及び二次転写ローラー９は、搬送経路１１を挟んで左側及び右側にそれぞれ配置され、互いに対向して配置される。中間転写ベルト５は搬送経路１１を搬送される用紙の表面に接触し、二次転写ローラー９は用紙の裏面に接触する。なお、二次転写ローラー９は、用紙に対するトナー像の転写性を向上するために、転写ローラー帯電器１８（図２参照）によって、トナーの極性とは逆極性（例えば、負極性）に帯電され、転写ローラー帯電器１８は、下記の制御装置２５によって制御される。
【００２０】
各画像形成部６は、電子写真プロセスにより用紙に画像を形成するように同様に構成され、回転可能な感光体ドラム１０を備える。感光体ドラム１０は、前後方向に長い円柱状に形成され、前後方向が感光体ドラム１０の軸方向である。感光体ドラム１０の周囲には、帯電装置３０と、現像装置３１と、一次転写ローラー３２と、除電装置３３と、クリーニング装置３４とが、電子写真のプロセス順に配置される。なお、帯電装置３０、現像装置３１、一次転写ローラー３２、除電装置３３及びクリーニング装置３４は、前後方向に長い部材であり、本実施形態では、前後方向が、用紙や画像の幅方向である。
【００２１】
また、プリンター本体２内には、例えば、右側に、用紙を搬送する搬送経路１１が上下方向に延びて設けられる。搬送経路１１の上流端には給紙部１２が給紙カセット３の近傍に設けられ、搬送経路１１の中流部には上記の二次転写部８が設けられる。搬送経路１１の下流部には定着装置１３が設けられ、搬送経路１１の下流端には排紙部１４が排紙トレイ４の近傍に設けられる。即ち、搬送経路１１において、用紙は、給紙カセット３から給紙部１２、二次転写部８、定着装置１３及び排紙部１４を通って排紙トレイ４へ搬送される。また、搬送経路１１において、用紙の表面が左側（中間転写ベルト５側）に対向し、用紙の裏面が右側（二次転写ローラー９側）に対向した状態で、用紙は搬送される。更に、プリンター本体２内には、プリンター１の各部を制御する制御装置２５が備えられる。
【００２２】
また、搬送経路１１において各部の間には、用紙を搬送するための機構が設けられ、特に、搬送経路１１には、図１や図２に示すように、搬送ローラー１６（搬送部材）を備えて用紙を画像形成部６を経由して定着装置１３へ搬送する搬送部２６が設けられる。搬送ローラー１６は、例えば、搬送経路１１において給紙部１２と二次転写部８との間に設けられる。また、搬送経路１１において定着装置１３より上流側には、用紙の裏面の紙粉を除去する紙粉除去部２７が設けられる。紙粉除去部２７は、ナイロン等の摩擦帯電特性を有する材料で形成されるブラシ１５（帯電部材）及びブレード１７を備える。ブラシ１５は、例えば、搬送経路１１において給紙部１２と二次転写部８との間に設けられる。搬送ローラー１６及びブラシ１５は、搬送経路１１を挟んで左側（中間転写ベルト５側）及び右側（二次転写ローラー９側）にそれぞれ配置され、互いに対向すると共に接触して配置される。換言すれば、紙粉除去部２７は、ブラシ１５に対向配置され、ブラシ１５と接触する対向部材として搬送ローラー１６を有する。
【００２３】
ブラシ１５は、多数のブラシ毛を植毛して構成され、ブラシ毛の先端を搬送経路１１に向けて配置される。そして、ブラシ１５は、搬送経路１１を搬送される用紙の裏面に接触し、用紙の裏面を摩擦帯電して、下記の定着装置１３の加圧ローラー２１と同じ極性、即ち、トナーの極性とは逆極性（例えば、負極性）に帯電する。例えば、加圧ローラー２１が負極性に帯電している場合、ブラシ１５は、用紙の裏面を負極性に帯電させるために、帯電列において用紙よりも正極側の材料を採用してブラシ毛が形成され、例えば、ＰＥＴ等の樹脂材料でブラシ毛が形成される。ブラシ１５との摩擦帯電によって、用紙の裏面が負極性に帯電する場合、用紙の裏面に付着した紙粉も負極性に帯電することになる。ブラシ１５は、このように摩擦帯電された紙粉を掃き取って回収する。
【００２４】
搬送ローラー１６は、プリンター本体２に回転可能に設けられ、モーター等の搬送駆動部１９（図２参照）から伝達される回転駆動力によって回転する。搬送駆動部１９は、制御装置２５によって制御されるとよい。搬送ローラー１６は、搬送経路１１の搬送方向において上流側から搬送される用紙の表面に接触し、用紙を更に下流側に搬送する。搬送ローラー１６は、例えば、アルミニウムやＳＵＳ等の金属材料で形成される導電性ローラーであり、電気的に接地されている。
【００２５】
また、搬送駆動部１９は、下記の印刷動作において二次転写部８及び定着装置１３への用紙搬送動作の場合に搬送ローラー１６を回転駆動する一方、キャリブレーション時やトナー補給時等の用紙搬送動作以外の場合に、ブラシ１５の清掃のために搬送ローラー１６を回転駆動する。ブラシ１５には、トナーの極性とは逆極性（例えば、負極性）に帯電した紙粉が回収されていて、搬送ローラー１６は接地されている。そのため、用紙搬送動作以外において、ブラシ１５が接触した状態で搬送ローラー１６が回転すると、ブラシ１５に回収された帯電した紙粉が搬送ローラー１６に電気的に引き寄せられ、搬送ローラー１６に転移して付着し、ブラシ１５が清掃される。
【００２６】
ブレード１７は、ゴム等の弾性材料で板状に形成され、搬送ローラー１６の表面に当接して配置される。ブレード１７は、搬送ローラー１６の表面に付着した紙粉等の異物を掻き落とす。例えば、ブレード１７の近傍には、回収ボックス（図示せず）が設けられ、掻き落とした紙粉等の異物は回収ボックスに回収される。
【００２７】
定着装置１３について説明する。定着装置１３は、図２に示すように、加熱ローラー２０（加熱部材）と、加圧ローラー２１（加圧部材）と、熱源２２とを備える。
【００２８】
加熱ローラー２０及び加圧ローラー２１は、略箱型状の定着フレーム（図示せず）の内部で、搬送経路１１を挟んで左側（中間転写ベルト５側）及び右側（二次転写ローラー９側）にそれぞれ配置され、互いに対向すると共に接触して配置される。加熱ローラー２０及び加圧ローラー２１の間の搬送経路１１には、加圧領域Ｎが形成される。なお、加圧領域Ｎとは、加熱ローラー２０と加圧ローラー２１とが接触している領域であって、加熱ローラー２０及び加圧ローラー２１による用紙への圧力が０Ｐａである搬送方向上流側の位置から、その圧力が最大となる搬送方向の位置を経由して再びその圧力が０Ｐａとなる搬送方向下流側の位置までの領域を示す。
【００２９】
加熱ローラー２０は、搬送方向と直交する用紙の幅方向（前後方向）に長い円筒状のローラーで構成される。加熱ローラー２０は、例えば、円筒状の金属製の芯材と、芯材に周設されたシリコンゴム等の樹脂製の弾性層から構成され、弾性層はフッ素系樹脂の離型層によって被覆される。加熱ローラー２０は、前後方向を軸方向として、定着フレームに対して回転可能に取り付けられる。例えば、加熱ローラー２０は、モーター等の定着駆動部２３（図２参照）から伝達される回転駆動力によって回転する。加熱ローラー２０は、熱源２２によって加熱され、トナー像が形成された用紙に接触してトナー像を加熱する。
【００３０】
加圧ローラー２１は、幅方向に長い略円柱状に形成される。加圧ローラー２１は、例えば、円柱状の金属製の芯材と、芯材に周設されたシリコンゴム等の樹脂製の弾性層から構成された弾性ローラーであり、弾性層はＰＦＡチューブ等のフッ素系樹脂の離型層（例えば、厚さ０．１ｍｍ以下）によって被覆される。加圧ローラー２１は、前後方向を回転軸方向として、定着フレームに対して回転可能に取り付けられる。例えば、加圧ローラー２１は、加熱ローラー２０からギア（図示せず）を介して伝達される回転駆動力によって回転する。定着駆動部２３は、制御装置２５によって制御されるとよい。加圧ローラー２１は、加熱ローラー２０側に加圧されて、加熱ローラー２０と共に、加圧領域Ｎを通過する用紙を加圧する。
【００３１】
なお、加熱ローラー２０はトナー像の形成された用紙の表面に接触し、加圧ローラー２１は用紙の裏面に接触する。例えば、加圧ローラー２１は帯電列において加熱ローラー２０や用紙より負極側にあり、加熱ローラー２０や用紙との摺動による摩擦帯電により負極性に帯電する。
【００３２】
熱源２２は、幅方向に亘って長い形状を有し、加熱ローラー２０の芯材の内部に取り付けられ、内側から加熱ローラー２０を加熱する。熱源２２は、例えば、ハロゲンヒーターやセラミックヒーター等によって構成される。熱源２２は、オンのときに電源（図示せず）から電力を供給されることで発熱して加熱ローラー２０を加熱し、オフのときに電源からの電力供給が遮断されて加熱ローラー２０の加熱を停止する。熱源２２は、温度センサー（図示せず）で検知される加熱ローラー２０の表面温度が所定の定着温度になるように、制御装置２５によってオン及びオフの切り換えを制御される。
【００３３】
プリンター１の印刷動作について説明する。プリンター１の印刷動作では、４つの画像形成部６の画像形成動作が中間転写ベルト５の回転方向に従った順に行われる。４つの画像形成部６の画像形成動作は、同様に行われ、以下では、一の画像形成部６の画像形成動作について説明する。
【００３４】
画像形成部６の画像形成動作では、帯電装置３０によって感光体ドラム１０の表面が帯電された後、露光装置７によって感光体ドラム１０に対して画像データに対応した露光が行われ、感光体ドラム１０の表面に静電潜像が形成される。静電潜像は、現像装置３１によってトナー像に現像される。感光体ドラム１０の表面に現像されたトナー像は、一次転写ローラー３２によって中間転写ベルト５へ一次転写される。一次転写の後、感光体ドラム１０の表面に残存した電荷及び廃トナーは、除電装置３３及びクリーニング装置３４によって除去される。
【００３５】
以上の画像形成動作を４つの画像形成部６が順次行うことによって、中間転写ベルト５上にフルカラーのトナー像（カラートナー像）が形成される。カラートナー像は、中間転写ベルト５の回転によって、所定のタイミングで二次転写部８へと供給される。
【００３６】
一方、給紙カセット３に収納された用紙は、給紙部１２によって取り出されて搬送経路１１上を搬送され、カラートナー像とタイミングを合わせて二次転写部８へと搬送される。二次転写部８では、中間転写ベルト５上のカラートナー像が用紙に二次転写される。カラートナー像を二次転写された用紙は、搬送経路１１において定着装置１３へと搬送されて、定着装置１３によってカラートナー像が用紙に定着される。その後、カラートナー像が定着された用紙は、排紙部１４から排紙トレイ４へと排出される。
【００３７】
本実施形態によれば、上述のように、プリンター１（画像形成装置）は、画像形成部６と、定着装置１３と、搬送部２６と、紙粉除去部２７とを備える。画像形成部６は、電子写真プロセスにより用紙に画像を形成する。定着装置１３は、画像が形成された用紙の表面に接触して加熱する加熱ローラー２０（加熱部材）と、加熱ローラー２０に対向配置されて用紙の裏面に接触する加圧ローラー２１（加圧部材）とを含む。搬送部２６は、搬送ローラー１６（搬送部材）を備え、用紙を画像形成部６を経由して定着装置１３へ搬送する。紙粉除去部２７は、搬送部２６において定着装置１３より上流側に配置され、搬送される用紙の裏面に接触して、用紙の裏面の紙粉を除去すると共に、用紙の裏面を摩擦帯電により加圧ローラー２１と同じ極性に摩擦帯電させるブラシ１５（帯電部材）を有する。
【００３８】
所定の極性（例えば、正極性）のトナーを用いる場合、上記したように、定着装置１３の加圧ローラー２１は、例えば、加熱ローラー２０や用紙との摺動による摩擦帯電により、トナーの極性とは逆極性（例えば、負極性）に帯電される。これに対して、ブラシ１５は、用紙が定着装置１３に搬送される前に、用紙の裏面を加圧ローラー２１と同じ極性に帯電するので、用紙の裏面に付着した紙粉も加圧ローラー２１と同じ極性に帯電される。そのため、紙粉が裏面に付着した状態で用紙が定着装置１３に搬送されても、紙粉は加圧ローラー２１と反発するので付着が抑制される。これにより、加圧ローラー２１への紙粉の付着に起因する、定着性の低下等による画像欠損（画像不良）や、用紙裏面に転移する裏汚れ等の不具合を抑制することが可能となる。なお、ブラシ１５は、帯電した紙粉を掃き取って回収することができる。また、本実施形態では、トナーや加圧ローラー２１の帯電特性に基づいてブラシ１５を備える構成のため、電圧の印加や制御を行う機器を必要としないので、製造コストが安価で、設置スペースが最小限であり、また、消費電力を抑制することができる。
【００３９】
また、本実施形態によれば、プリンター１は、画像形成部６に設けられ、トナー像を形成する中間転写ベルト５（像担持体）と、中間転写ベルト５に対向して配置され、用紙の裏面に接触する二次転写ローラー９（転写部材）を含み、中間転写ベルト５上のトナー像を画像として用紙の表面に転写する二次転写部８（転写装置）を備える。そして、ブラシ１５は、用紙の搬送方向において二次転写部８より上流側に配置される。
【００４０】
所定の極性（例えば、正極性）のトナーを用いる場合、上記したように、二次転写部８の二次転写ローラー９は、トナーの極性とは逆極性（例えば、負極性）に帯電される。これに対して、ブラシ１５は、用紙が二次転写部８に搬送される前に、用紙の裏面に付着した紙粉を二次転写ローラー９と同じ極性に帯電する。そのため、紙粉が裏面に付着した状態で用紙が二次転写部８に搬送されても、紙粉は二次転写ローラー９と反発するので付着が抑制される。これにより、二次転写ローラー９に付着した紙粉が次の用紙の裏面に転移して付着することを抑制し、次の用紙の裏面に転移した紙粉が更に加圧ローラー２１に転移することを抑制することができる。また、用紙の裏面を帯電させない場合（図３参照）に比べて、用紙の裏面をトナーの極性と逆極性に帯電する場合には、図４に示すように、トナーが用紙の表面に電気的に引き寄せられるのでトナーの付着性が向上し、転写性を向上することができる。
【００４１】
また、本実施形態によれば、プリンター１において、紙粉除去部２７は、ブラシ１５に対向配置され、ブラシ１５と接触する対向部材として搬送ローラー１６を有し、搬送ローラー１６は接地されていて、ブラシ１５と搬送ローラー１６の間を通過する用紙の表面に接触して用紙を搬送すると共に、搬送ローラー１６は用紙が通過していないとき、ブラシ１５と接触し、ブラシ１５に付着する紙粉を搬送ローラー１６へ転移する。
【００４２】
これにより、搬送ローラー１６をブラシ１５に接触させることで、ブラシ１５に回収された帯電した紙粉は、接地された搬送ローラー１６に電気的に引き寄せられ、ブラシ１５清掃することができる。
【００４３】
なお、上記した実施形態では、プリンター１が正極性のトナーを使用し、加圧部材としての加圧ローラー２１や転写部材としての二次転写ローラー９が負極性に帯電され、ブラシ１５が用紙の裏面及び紙粉を負極性に摩擦帯電する例を説明したが、本発明はこの例に限定されない。例えば、他の実施形態では、プリンター１が負極性のトナーを使用し、加圧部材としての加圧ローラー２１や転写部材としての二次転写ローラー９が正極性に帯電され、ブラシ１５が用紙の裏面及び紙粉を正極性に摩擦帯電するように構成されてもよい。
【００４４】
また、上記した実施形態では、加熱部材として加熱ローラー２０を適用し、加圧部材として加圧ローラー２１を適用する例を説明したが、本発明はこの例に限定されない。例えば、他の実施形態では、加熱部材として加熱ベルトを適用し、加圧部材として加圧ベルトを適用してもよい。
【００４５】
また、上記した実施形態では、カラーのプリンター１の画像形成装置において、転写装置が中間転写ベルト５の像担持体及び二次転写ローラー９の転写部材で構成される二次転写部８である例を説明したが、本発明はこの例に限定されない。例えば、他の実施形態では、モノクロプリンターの画像形成装置において、転写装置が感光体ドラム１０の像担持体及び一次転写ローラー３２の転写部材で構成されてもよい。
【００４６】
本実施形態では、プリンター１に本発明の構成を適用する場合について説明したが、他の異なる実施形態では、複写機、ファクシミリ、複合機等の他の画像形成装置に本発明の構成を適用することも可能である。
【符号の説明】
【００４７】
１  プリンター（画像形成装置）
２  プリンター本体
５  中間転写ベルト（像担持体）
６  画像形成部
８  二次転写部（転写装置）
９  二次転写ローラー（転写部材）
１１  搬送経路
１２  給紙部
１３  定着装置
１５  ブラシ（帯電部材）
１６  搬送ローラー（搬送部材）
１７  ブレード
２０  加熱ローラー（加熱部材）
２１  加圧ローラー（加圧部材）
【図１】
2020042233.tif 000003
【図２】
2020042233.tif 000004
【図３】
2020042233.tif 000005
【図４】
2020042233.tif 000006